(57)【要約】【課題】  基礎と建物床との相互位置を長期間一定に保つことができて、基礎と建物床との寸法狂いを生じる虞をなくし得る建物床の施工方法を提供すること。【解決手段】  滑り支承４と角材２１とを基礎３上に設置し、滑り支承４と角材２１とを介在させて建物床５を基礎３上に形成し、建物床５の形成後、基礎３と建物床５との間に膨縮自在な膨縮袋２５を介在させ、角材２１による建物床５の支持から膨縮袋２５による建物床５の支持に切替るべく、基礎３と建物床５との間に介在させた膨縮袋２５内に圧縮空気を導入することで当該膨縮袋２５を膨張させ、基礎３と膨縮袋２５に支持された建物床５との間から角材２１を除去し、角材２１を除去した後、膨縮袋２５内の圧縮空気を排出することで当該膨縮袋２５を収縮させ、収縮させた膨縮袋２５を基礎３と建物床５との間から除去する。【選択図】  図１
2008157001.tif 000002
【特許請求の範囲】
【請求項１】
免震装置及び制震装置のうちの少なくとも一方と支持部材とを基礎上に設置し、免震装置及び制震装置のうちの少なくとも一方と支持部材とを介在させて建物床を基礎上に形成し、建物床の形成後、基礎と建物床との間に膨縮自在な膨縮袋を介在させ、支持部材による建物床の支持から膨縮袋による建物床の支持に切替るべく、基礎と建物床との間に介在させた膨縮袋内に流体を導入することで当該膨縮袋を膨張させ、基礎と膨縮袋に支持された建物床との間から支持部材を除去し、支持部材を除去した後、膨縮袋内の流体を排出することで当該膨縮袋を収縮させ、収縮させた膨縮袋を基礎と建物床との間から除去する建物床の施工方法。
【請求項２】
膨縮袋の膨張時における上下高さは、支持部材の上下高さを上回る請求項１に記載の建物床の施工方法。
【請求項３】
支持部材は、角材からなる請求項１又は２に記載の建物床の施工方法。
【請求項４】
支持部材は、鎹によって複数連結されている請求項１から３のいずれか一項に記載の建物床の施工方法。
【請求項５】
膨縮袋内に流体としての圧縮空気を導入することにより膨縮袋を膨張させる請求項１から４のいずれか一項に記載の建物床の施工方法。
【発明の詳細な説明】
【技術分野】
【０００１】
本発明は、基礎上に免震装置、制震装置等を介在させて建物の床を施工する建物床の施工方法に関する。
【背景技術】
【０００２】
【特許文献１】特開２００２−３５６９４８号公報
【０００３】
例えば特許文献１においては、基礎上に免震装置と膨縮自在な支持袋とを設置し、免震装置と支持袋とを介在させて捨て型枠を基礎上に設置し、圧縮空気を収容した支持袋によって支持された捨て型枠上に床材を打設して基礎上に建物の床を形成する建物床の施工方法が提案されている。建物としての事業用又は事務所用のビル、集合住宅、戸建住宅、橋脚、橋台等において、地震、風、交通振動等に起因する横（水平）方向振動を建物に伝達させないため、また、建物に伝達した横方向振動を可及的速やかに減衰させるために、基礎と建物の床との間には免震装置、制震装置等が設置される。
【発明の開示】
【発明が解決しようとする課題】
【０００４】
ところで、斯かる建物床の施工方法では、捨て型枠、床を支持する支持袋内の圧縮空気を長期間一定圧に保つことは困難であり、結果として基礎と建物床との寸法狂いが生じる虞がある。
【０００５】
本発明は、前記諸点に鑑みてなされたものであって、その目的とするところは、基礎と建物床との相互位置を長期間一定に保つことができて、基礎と建物床との寸法狂いを生じる虞をなくし得る建物床の施工方法を提供することにある。
【課題を解決するための手段】
【０００６】
本発明の建物床の施工方法は、免震装置及び制震装置のうちの少なくとも一方と支持部材とを基礎上に設置し、免震装置及び制震装置のうちの少なくとも一方と支持部材とを介在させて建物床を基礎上に形成し、建物床の形成後、膨縮袋による建物床の支持に切替るべく、基礎と建物床との間に介在させた膨縮袋内に流体を導入することで当該膨縮袋を膨張させ、基礎と膨縮袋に支持された建物床との間から支持部材を除去し、支持部材を除去した後、膨縮袋内の流体を排出することで当該膨縮袋を収縮させ、収縮させた膨縮袋を基礎と建物床との間から除去する。
【０００７】
本発明の建物床の施工方法によれば、特に、膨縮袋の膨張により支持部材による建物床の支持から膨縮袋による建物床の支持に切替え、基礎と膨縮袋に支持された建物床との間から支持部材を除去し、支持部材を除去した後、膨縮袋内の流体を排出することで当該膨縮袋を収縮させ、収縮させた膨縮袋を基礎と建物床との間から除去するために、支持部材による建物床の支持により基礎と建物床との相互位置を長期間一定に保つことができて、基礎と建物床との寸法狂いを生じる虞をなくし得、しかも、膨縮袋の膨張により支持部材を容易に除去することができ、膨縮袋の収縮により当該膨縮袋を容易に除去することができ、支持部材、膨縮袋を除去するための基礎と建物床との隙間への作業員に潜り込み作業をなくすことができ、滑り支承等のその高さが低い免震装置、制震装置等であっても、これを基礎と建物床との間に介在させて建物を免震化、制震化できる。
【０００８】
本発明の建物床の施工方法の好ましい例では、膨縮袋の膨張時における上下高さは、支持部材の上下高さを上回る。
【０００９】
本発明の建物床の施工方法の好ましい例では、支持部材は、角材からなっていてもよく、また、支持部材は、鎹によって複数連結されていてもよい。支持部材が鎹によって複数連結されていると、支持部材を基礎と建物床との間から容易に抜き出し得る。
【００１０】
本発明の建物床の施工方法の好ましい例では、膨縮袋内に流体としての圧縮空気を導入することにより膨縮袋を膨張させる。このような好ましい例によれば、流体として軽量な圧縮空気を用いるために、取り扱いが極めて容易となる上に、建物床の形成後の流体の排出に際しては、そのまま膨縮袋から直接的に外気に放出できるので、液体に比較して面倒な廃棄処理を必要としない。
【００１１】
本発明の建物床の施工方法の好ましい例では、膨縮袋は、収容した流体の量により膨らんだり縮んだりする膨縮自在な膨縮袋であればよいのであるが、斯かる膨縮袋は、可撓性又は伸縮性を有していてもよく、膨縮袋の好ましい形成材料としては、天然ゴム、合成ゴム、繊維強化天然ゴム等を挙げることができるが、本発明は、これらに限定されず、十分な機械的強度を具備していれば、その他のものでもよい。
【発明の効果】
【００１２】
本発明によれば、基礎と建物床との相互位置を長期間一定に保つことができて、基礎と建物床との寸法狂いを生じる虞をなくし得る建物床の施工方法を提供し得る。
【発明を実施するための最良の形態】
【００１３】
次に、本発明の実施の形態の例を、図に示す例に基づいて更に詳細に説明する。尚、本発明は、これら例に何等限定されないのである。
【００１４】
本例の建物床の施工方法をもって施工された図１に示す建物としての戸建住宅のコンクリート製の建物床５は、地盤２に設置されたコンクリート製の基礎３上に複数の滑り支承４を介して支持されている。
【００１５】
各滑り支承４は、下沓１１側が基礎３に固着されており、上沓１３側が建物床５に固着されており、下沓１１の上に向かって凹状の凹面と上沓１３の下に向かって凹状の凹面との間に滑り介在子１５が介在されており、水平方向Ｈに関して、上沓１３は下沓１１に対して相対的に移動自在となっている。斯かる滑り支承４により戸建住宅は免震化される。
【００１６】
以下、本例の戸建住宅の建物床の施工方法について説明する。まず、図２及び図３に示すように、地盤２にコンクリートを打ち込んで基礎３を形成し、基礎３の形成後、下沓１１をアンカーボルト１２を介して基礎３に固着して各滑り支承４を基礎３上に設置し、そして、支持部材としての角材２１を基礎上に複数本並置する。本例では断面正方形の角材２１の上下高さＶ１は９ｃｍである。角材２１は、鎹３１によって複数本連結されて列をなしており、斯かる列は、図３及び図６に示すように膨縮袋２５が介在される程度の間隔をもって複数並置される。基礎３に固着された滑り支承４の下沓１１及び上沓１３は、ボルト等からなる仮連結具１６によって互いに連結されており、斯かる仮連結具１６によって上沓１３の下沓１１に対する施工時における変位が禁止されている。
【００１７】
次に図１に示すように、各滑り支承４と角材２１とを介在させてベニヤ板２２を設置し、このベニヤ板２２上に発泡スチロール等からなる断熱材２３を設置し、断熱材２３上に配筋等を行い、更に床材としてのコンクリートを打設して基礎３上に建物床５を形成する。各滑り支承４の上沓１３は、ボルト１４を介して建物床５に固着される。このように形成された建物床５は、コンクリートの硬化のため、滑り支承４及び角材２１に支持されたままの状態（図１に示す状態）で、一定期間、例えば四週間程度放置される。尚、本例の建物床の施工方法においては、ベニヤ板２２及び断熱材２３に代えて、例えば鋼板からなる捨て型枠を用いてもよい。
【００１８】
建物床５の形成後であって建物床５のコンクリートの硬化後、図４に示すように複数個のゴム製の膨縮袋２５を基礎３と建物床５との間に介在させる。膨縮袋２５の配設後、滑り支承４に装着されている仮連結具１６を取り外し、図５及び図６に示すようにコンプレッサ等により流体としての圧縮空気を当該膨縮袋２５内に導入して膨張させる。膨縮袋２５の長さは、例えば、５．５ｍ又は７．５ｍである。本例の膨縮袋２５は膨張時において楕円柱状となる。膨縮袋２５の膨張時における上下高さＶ２は１０ｃｍである。膨張される膨縮袋２５の上下高さＶ２が角材２１の上下高さＶ１を上回ると、建物床５の角材２１による支持は解除され且つ建物床５の膨縮袋２５による支持が開始される。これにより角材２１による建物床５の支持は膨縮袋２５による支持に切替えられる。膨縮袋２５による建物床５の支持の開始後においては、基礎３と建物床５との間から角材２１の抜き取りが可能となる。したがって、抜き取り可能となった角材２１を基礎３と建物床５との間から抜き取ることによって除去する。
【００１９】
図７に示すように角材２１を基礎３と建物床５との間から除去した後、膨縮袋２５内の圧縮空気を排出して当該膨縮袋２５を収縮させる。収縮された膨縮袋２５は、基礎３と建物床５との間から抜き取り可能となる。したがって、抜き取り可能となった膨縮袋２５を基礎３と建物床５との間から抜き取ることによって除去する。このようにして基礎３上に図８に示す建物床５を施工する。尚、膨縮袋２５の除去後、建物床５上に建物本体を施工する。尚、角材２１及び／又は膨縮袋２５と基礎３若しくはベニヤ板２２との間には、例えば図９に示すように高さ調整用のスペーサ３２を配設してもよい。
【００２０】
以上のように本例の建物床の施工方法によれば、滑り支承４と角材２１とを基礎３上に設置し、滑り支承４と角材２１とを介在させて建物床５を基礎３上に形成し、建物床５の形成後、基礎３と建物床５との間に膨縮自在な膨縮袋２５を介在させ、角材２１による建物床５の支持から膨縮袋２５による建物床５の支持に切替るべく、基礎３と建物床５との間に介在させた膨縮袋２５内に圧縮空気を導入することで当該膨縮袋２５を膨張させ、基礎３と膨縮袋２５に支持された建物床５との間から角材２１を除去し、角材２１を除去した後、膨縮袋２５内の圧縮空気を排出することで当該膨縮袋２５を収縮させ、収縮させた膨縮袋２５を基礎３と建物床５との間から除去するために、角材２１による建物床５の支持により基礎３と建物床５の相互位置を長期間一定に保つことができて、基礎３と建物床５との寸法狂いを生じる虞をなくし得、しかも、膨縮袋２５の膨張により角材２１を容易に除去することができ、膨縮袋２５の収縮により当該膨縮袋２５を容易に除去することができ、角材２１、膨縮袋２５を除去するための基礎３と建物床５との隙間への作業員の潜り込み作業をなくすことができ、滑り支承４等のその高さが低い免震装置、制震装置等であっても、これを基礎３と建物床５との間に介在させて建物を免震化、制震化できる。
【００２１】
本例の建物床の施工方法によれば、膨縮袋２５内に流体として軽量な圧縮空気を導入することにより膨縮袋２５を膨張させるために、取り扱いが極めて容易となる上に、建物床５の形成後の流体の排出に際しては、そのまま膨縮袋２５から直接的に外気に放出できるので、液体に比較して面倒な廃棄処理を必要としない。膨縮袋２５内に導入する流体としては、本例では、圧縮空気からなる気体を用いるが、これに代えて例えば水、油等の液体を用いてもよい。
【００２２】
尚、前記例では免震装置として滑り支承４を用いたが、これに代えて又はこれと共に下沓と上沓との間に転動体を介在させた転がり滑り支承、下端部と上端部との間に積層ゴムが介在された積層ゴム支承又は下端部と上端部との間に積層ゴムが介在されていると共に積層ゴム内に鉛支柱が嵌装された鉛入り積層ゴム支承を用いてもよく、また、滑り支承４に代えて又はこれと共に鉛ダンパ、鋼棒ダンパ及び粘性ダンパ等の制震装置を用いてもよく、更には、膨張時において楕円柱状となる膨縮袋２５に代えて又はこれと共に、膨張時において円柱状となる膨縮袋又は矩形状、即ち直方体状となる膨縮袋を用いてもよい。
【図面の簡単な説明】
【００２３】
【図１】本発明の建物床の施工方法の一工程の一部断面説明図である。
【図２】本発明の建物床の施工方法の一工程の一部断面説明図である。
【図３】本発明の建物床の施工方法の一工程の平面説明図である。
【図４】本発明の建物床の施工方法の一工程の一部断面説明図である。
【図５】本発明の建物床の施工方法の一工程の一部断面説明図である。
【図６】本発明の建物床の施工方法の一工程の平面説明図である。
【図７】本発明の建物床の施工方法の一工程の一部断面説明図である。
【図８】本発明の建物床の施工方法の一工程の一部断面説明図である。
【図９】本発明の建物床の施工方法の他の例の一工程の一部断面説明図である。
【符号の説明】
【００２４】
２  地盤
３  基礎
４  滑り支承
５  建物床
２１  角材
２２  ベニヤ板
２３  断熱材
２５  膨縮袋
３１  鎹
【図１】
2008157001.tif 000003
【図２】
2008157001.tif 000004
【図３】
2008157001.tif 000005
【図４】
2008157001.tif 000006
【図５】
2008157001.tif 000007
【図６】
2008157001.tif 000008
【図７】
2008157001.tif 000009
【図８】
2008157001.tif 000010
【図９】
2008157001.tif 000011